(57)【要約】【課題】第１の指示体によって、第２の指示体を検出するための第２の検出領域内に入力制限領域を設けられるようにする。【解決手段】指示体検出装置１は、検出領域Ｄ１における指による指示位置に応じて出力される出力信号Ｏ１に基づいて指による指示位置を示す算出値Ｃ１を算出するとともに、検出領域Ｄ２における電子ペンによる指示位置に応じて出力される出力信号Ｏ２に基づいて電子ペンによる指示位置を示す算出値Ｃ１を算出する位置算出部１７と、制御部１８とを備え、制御部１８は、位置算出部１７により算出される複数の算出値Ｃ１により指が検出領域Ｄ１内の領域を指定したことが示される場合に、指定領域内に対応する検出領域Ｄ２内の領域における電子ペン４による指示位置を示す算出値Ｃ２と、指定領域外に対応する検出領域Ｄ２内の領域における電子ペン４による指示位置を示す算出値Ｃ２とで異なる信号処理を行う。【選択図】図２
2020074245.tif 000002
【特許請求の範囲】
【請求項１】
第１の指示体を検出するための第１の検出領域を有し、該第１の検出領域における前記第１の指示体による指示位置に応じた第１の出力信号を出力する第１のセンサーと、
第２の指示体を検出するための第２の検出領域を有し、前記第１及び第２の検出領域が重畳するよう前記第１のセンサーと重ねて配置され、かつ、該第２の検出領域における前記第２の指示体による指示位置に応じた第２の出力信号を出力する第２のセンサーと、
前記第１及び第２のセンサーのそれぞれに電気的に接続され、前記第１の出力信号に基づいて前記第１の指示体による指示位置を示す第１の算出値を算出するとともに、前記第２の出力信号に基づいて前記第２の指示体による指示位置を示す第２の算出値を算出するよう構成された位置算出部と、
前記位置算出部に電気的に接続され、該位置算出部により算出された前記第１及び第２の算出値に基づいて、前記第１及び第２の指示体のそれぞれによる指示位置に応じた信号処理を行う制御部とを備え、
前記制御部は、前記位置算出部により算出される複数の前記第１の算出値により前記第１の指示体が前記第１の検出領域内の第１の指定領域を指定したことが示される場合に、前記第１の指定領域内に対応する前記第２の検出領域内の領域における前記第２の指示体による指示位置を示す前記第２の算出値と、前記第１の指定領域外に対応する前記第２の検出領域内の領域における前記第２の指示体による指示位置を示す前記第２の算出値とで異なる信号処理を行う、
ことを特徴とする指示体検出装置。
【請求項２】
前記第１及び第２の検出領域に対応する表示領域を有する表示装置をさらに備え、
前記制御部は、前記表示領域に前記第１の指定領域に対応する第１の表示データを表示するよう構成される
ことを特徴とする請求項１に記載の指示体検出装置。
【請求項３】
前記制御部は、前記位置算出部により算出される複数の前記第１の算出値により前記第１の指示体が前記第１の検出領域内の第１の指定領域を指定したことが示される場合に、前記第１の指定領域外に対応する前記第２の検出領域における前記第２の指示体による指示位置を示す前記第２の算出値に基づく前記信号処理を行わないよう構成される
ことを特徴とする請求項１又は２に記載の指示体検出装置。
【請求項４】
前記制御部は、前記位置算出部により算出される複数の前記第１の算出値により前記第１の指示体が前記第１の検出領域内の第１の指定領域を指定したことが示される場合に、前記第１の指定領域内に対応する前記第２の検出領域における前記第２の指示体による指示位置を示す前記第２の算出値に基づく前記信号処理を行わないよう構成される
ことを特徴とする請求項１又は２に記載の指示体検出装置。
【請求項５】
前記制御部は、前記表示領域に第２の表示データを表示するよう構成され、
前記制御部は、前記表示領域に前記第２の表示データを表示する場合に、前記表示領域内の該第２の表示データが表示されている領域を第２の指定領域として指定し、その後、前記第２の指定領域内に対応する前記第１の検出領域における前記第１の指示体による指示位置を示す前記第１の算出値と、前記第２の指定領域外に対応する前記第１の検出領域における前記第１の指示体による指示位置を示す前記第１の算出値とで異なる信号処理を行い、かつ、前記第２の指定領域内に対応する位置を示す前記第２の算出値と、前記第２の指定領域外に対応する位置を示す前記第２の算出値とで異なる信号処理を行う
ことを特徴とする請求項２に記載の指示体検出装置。
【請求項６】
前記制御部は、前記位置算出部により算出される複数の前記第１の算出値により前記第１の指示体が前記第１の検出領域内の第１の指定領域を指定したことが示される場合に、前記第１の指定領域内に対応する位置を示す前記第１の算出値と、前記第１の指定領域外に対応する位置を示す前記第１の算出値とで異なる信号処理を行う
ことを特徴とする請求項１乃至５のいずれか一項に記載の指示体検出装置。
【請求項７】
前記第１のセンサーは静電容量方式により前記第１の出力信号を生成するよう構成され、
前記第２のセンサーは電磁誘導方式により前記第２の出力信号を生成するよう構成される
ことを特徴とする請求項１乃至６のいずれか一項に記載の指示体検出装置。
【請求項８】
前記第１のセンサーは電磁誘導方式により前記第１の出力信号を生成するよう構成され、
前記第２のセンサーは静電容量方式により前記第２の出力信号を生成するよう構成される
ことを特徴とする請求項１乃至６のいずれか一項に記載の指示体検出装置。
【請求項９】
前記制御部は、前記第１の指定領域内に対応する前記第２の検出領域内の領域における前記第２の指示体による指示位置を示す前記第２の算出値と、前記第１の指定領域外に対応する前記第２の検出領域内の領域における前記第２の指示体による指示位置を示す前記第２の算出値とで異なる信号処理を行う場合に、前記第１の指定領域内における前記第１の指示体による指示位置を示す前記第１の算出値と、前記第１の指定領域外における前記第１の指示体による指示位置を示す前記第１の算出値とでは異なる信号処理を行わない、
ことを特徴とする請求項１に記載の指示体検出装置。
【請求項１０】
前記制御部は、
前記位置算出部により算出される複数の前記第１の算出値により前記第１の指示体が前記第１の検出領域内の第１の指定領域を指定したことが示される場合に前記第１及び第２の指示体の一方の選択を受け付け、
前記第２の指示体が選択された場合に、前記第１の指定領域内に対応する前記第２の検出領域内の領域における前記第２の指示体による指示位置を示す前記第２の算出値と、前記第１の指定領域外に対応する前記第２の検出領域内の領域における前記第２の指示体による指示位置を示す前記第２の算出値とで異なる信号処理を行う一方、前記第１の指定領域内における前記第１の指示体による指示位置を示す前記第１の算出値と、前記第１の指定領域外における前記第１の指示体による指示位置を示す前記第１の算出値とでは異なる信号処理を行わず、
前記第１の指示体が選択された場合に、前記第１の指定領域内における前記第１の指示体による指示位置を示す前記第１の算出値と、前記第１の指定領域外ににおける前記第１の指示体による指示位置を示す前記第１の算出値とで異なる信号処理を行う一方、前記第１の指定領域内に対応する前記第２の検出領域内の領域における前記第２の指示体による指示位置を示す前記第２の算出値と、前記第１の指定領域外に対応する前記第２の検出領域内の領域における前記第２の指示体による指示位置を示す前記第２の算出値とでは異なる信号処理を行わない、
ことを特徴とする請求項９に記載の指示体検出装置。
【請求項１１】
前記制御部は、
前記位置算出部により算出される複数の前記第１の算出値により前記第１の指示体が前記第１の検出領域内の第１の指定領域を指定したことが示される場合に、前記第１の指定領域の内側又は外側の選択をさらに受け付け、
前記第１の指定領域の内側及び前記第２の指示体が選択された場合に、前記第１の指定領域内に対応する前記第２の検出領域内の領域における前記第２の指示体による指示位置を示す前記第２の算出値については信号処理を行わず、
前記第１の指定領域の外側及び前記第２の指示体が選択された場合に、前記第１の指定領域外に対応する前記第２の検出領域内の領域における前記第２の指示体による指示位置を示す前記第２の算出値については信号処理を行わず、
前記第１の指定領域の内側及び前記第１の指示体が選択された場合に、前記第１の指定領域内における前記第１の指示体による指示位置を示す前記第１の算出値については信号処理を行わず、
前記第１の指定領域の外側及び前記第１の指示体が選択された場合に、前記第１の指定領域外における前記第１の指示体による指示位置を示す前記第１の算出値については信号処理を行わない、
ことを特徴とする請求項１０に記載の指示体検出装置。
【請求項１２】
第１の指示体を検出するための第１の検出領域を有し、該第１の検出領域における前記第１の指示体による指示位置に応じた第１の出力信号を出力する第１のセンサーと、
前記第１のセンサーに重畳して配置され、第２の指示体を検出するための第２の検出領域を有し、該第２の検出領域における前記第２の指示体による指示位置に応じた第２の出力信号を出力するセンサーと、
前記第１及び第２のセンサーのそれぞれに電気的に接続され、前記第１の出力信号に基づいて前記第１の指示体による指示位置を示す第１の算出値を算出するとともに、前記第２の出力信号に基づいて前記第２の指示体による指示位置を示す第２の算出値を算出するよう構成された位置算出部と、
前記位置算出部に電気的に接続され、該位置算出部により算出された前記第１及び第２の算出値に基づいて、前記第１及び第２の指示体のそれぞれによる指示位置に応じた信号処理を行う制御部とを備え、
前記制御部は、前記第１の指示体により前記第１の検出領域内の第１の指定領域が指定された場合に、前記第２の指示体による指示位置が前記第１の指定領域に対応する前記第２の検出領域内の領域の内にある場合と外にある場合とで異なる信号処理を行う
ことを特徴とする指示体検出装置。
【請求項１３】
第１の指示体を検出するための第１の検出領域を有する第１のセンサーと、第２の指示体を検出するための第２の検出領域を有し、かつ、前記第１及び第２の検出領域が重畳するよう前記第１のセンサーと重ねて配置された第２のセンサーとを備え、前記第１及び第２の指示体のそれぞれによる指示位置に応じた信号処理を行う指示体検出装置の信号処理方法であって、
前記第１の検出領域における前記第１の指示体による指示位置に応じた第１の出力信号を得るステップと、
前記第２の検出領域における前記第２の指示体による指示位置に応じた第２の出力信号を得るステップと、
前記第１の出力信号に基づいて第１の算出値を得るステップと、
前記第２の出力信号に基づいて第２の算出値を得るステップと、
前記第１の算出値により前記第１の指示体が前記第１の検出領域内の第１の指定領域を指定しているか否かを判定する判定ステップと、
前記第１の指定領域内に対応する前記第２の検出領域内の領域における前記第２の指示体による指示位置を示す前記第２の算出値と、前記第１の指定領域外に対応する前記第２の検出領域内の領域における前記第２の指示体による指示位置を示す前記第２の算出値とで異なる信号処理を行う信号処理ステップと、
を備えることを特徴とする指示体検出装置の信号処理方法。
【請求項１４】
前記信号処理ステップは、前記第１の指定領域内に対応する前記第２の検出領域内の領域における前記第２の指示体による指示位置を示す前記第２の算出値と、前記第１の指定領域外に対応する前記第２の検出領域内の領域における前記第２の指示体による指示位置を示す前記第２の算出値とで異なる信号処理を行う場合に、前記第１の指定領域内における前記第１の指示体による指示位置を示す前記第１の算出値と、前記第１の指定領域外における前記第１の指示体による指示位置を示す前記第１の算出値とでは異なる信号処理を行わない、
ことを特徴とする請求項１３に記載の指示体検出装置の信号処理方法。
【請求項１５】
前記判定ステップにより前記第１の指示体が前記第１の検出領域内の第１の指定領域を指定していると判定された場合に、前記第１及び第２の指示体の一方の選択を受け付ける選択受付ステップをさらに備え、
前記信号処理ステップは、
前記選択受付ステップにより前記第２の指示体の選択が受け付けられた場合に、前記第１の指定領域内に対応する前記第２の検出領域内の領域における前記第２の指示体による指示位置を示す前記第２の算出値と、前記第１の指定領域外に対応する前記第２の検出領域内の領域における前記第２の指示体による指示位置を示す前記第２の算出値とで異なる信号処理を行う一方、前記第１の指定領域内における前記第１の指示体による指示位置を示す前記第１の算出値と、前記第１の指定領域外における前記第１の指示体による指示位置を示す前記第１の算出値とでは異なる信号処理を行わず、
前記選択受付ステップにより前記第１の指示体の選択が受け付けられた場合に、前記第１の指定領域内における前記第１の指示体による指示位置を示す前記第１の算出値と、前記第１の指定領域外ににおける前記第１の指示体による指示位置を示す前記第１の算出値とで異なる信号処理を行う一方、前記第１の指定領域内に対応する前記第２の検出領域内の領域における前記第２の指示体による指示位置を示す前記第２の算出値と、前記第１の指定領域外に対応する前記第２の検出領域内の領域における前記第２の指示体による指示位置を示す前記第２の算出値とでは異なる信号処理を行わない、
ことを特徴とする請求項１４に記載の指示体検出装置の信号処理方法。
【請求項１６】
前記選択受付ステップは、前記判定ステップにより前記第１の指示体が前記第１の検出領域内の第１の指定領域を指定していると判定された場合に、前記第１及び第２の指示体の一方の選択をさらに受け付け、
前記信号処理ステップは、
前記選択受付ステップにより前記第１の指定領域の内側及び前記第２の指示体の選択が受け付けられた場合に、前記第１の指定領域内に対応する前記第２の検出領域内の領域における前記第２の指示体による指示位置を示す前記第２の算出値については信号処理を行わず、
前記選択受付ステップにより前記第１の指定領域の外側及び前記第２の指示体の選択が受け付けられた場合に、前記第１の指定領域外に対応する前記第２の検出領域内の領域における前記第２の指示体による指示位置を示す前記第２の算出値については信号処理を行わず、
前記選択受付ステップにより前記第１の指定領域の内側及び前記第１の指示体の選択が受け付けられた場合に、前記第１の指定領域内における前記第１の指示体による指示位置を示す前記第１の算出値については信号処理を行わず、
前記選択受付ステップにより前記第１の指定領域の外側及び前記第１の指示体の選択が受け付けられた場合に、前記第１の指定領域外における前記第１の指示体による指示位置を示す前記第１の算出値については信号処理を行わない、
ことを特徴とする請求項１５に記載の指示体検出装置の信号処理方法。
【発明の詳細な説明】
【技術分野】
【０００１】
本発明は指示体検出装置及び信号処理方法に関し、特に、指示体の位置を検出可能に構成された指示体検出装置及びその信号処理方法に関する。
【背景技術】
【０００２】
板状の入力ユニットである指示体検出装置と、電子ペンやカーソルなどの指示体とを含んで構成されるタッチ式の入力システムが知られている。指示体検出装置によっては、単なる棒や人間の指を指示体として用いることができる場合もある。このような入力システムは、一般にはタブレットやデジタイザなどの名称で呼ばれ、パソコンやタブレット端末などのコンピュータに文字やイラストを入力する目的で広く利用されている。
【０００３】
タッチ式の入力システムの具体的な方式としては、静電方式や電磁誘導方式など各種のものが知られている。静電方式は、指示体と、パネル面に配置された複数の線状導体それぞれとの間に発生する静電容量を利用するものであり、線状導体ごとに電圧変化を検出する自己容量方式と、交差する線状導体間の電位差の変化を検出する相互容量方式とに細分化される。自己容量方式はさらに、指示体検出装置側で線状導体に電圧を印加する方式と、指示体から信号を送信することによって線状導体に電圧を発生させる方式とに分類される。前者は、指示体が指などの信号を送信できないものである場合に利用され、後者は、指示体が信号を送信できるものである場合に利用される。一方、電磁誘導方式は、指示体検出装置と指示体の間で電磁波の送受信を行うというものである。具体的には、指示体検出装置のパネル面に複数のループ状導体が配置されており、このループ状導体をアンテナとして用いて、指示体検出装置と指示体の間で電磁波の送受信が行われる。電磁誘導方式における送信と受信は、時分割で行われる。
【０００４】
このようなタッチ式の入力システムの中には、複数種類の指示体（電子ペンと指、タッチペンと指など）による入力に対応するものがある。特許文献１〜４には、そのような入力システムの例が開示されている。
【０００５】
特許文献１に着目して詳しく説明すると、特許文献１に記載の位置検出装置は、静電容量方式に対応する第１の検出部と電磁誘導方式に対応する第２の検出部とを重ねたものを入力部とする構成を有している。この位置検出装置は、第２の検出部により電子ペン（位置指示器）が検出されていない場合には、第１及び第２の検出部を時分割で動作させることにより指の位置測定と電子ペンの検出とを交互に行い、第２の検出部により電子ペンが検出されている場合には、第２の検出部のみを動作させて電子ペンの位置測定を行うように構成される。これにより、電子ペンが入力部に接近している場合には、電子ペンに適した第２の検出部による電子ペン入力が実現され、電子ペンが入力部に接近していない場合には、第１の検出部による指入力が実現される。
【０００６】
その他、特許文献２には、相互容量方式に対応する位置検出装置と、この位置検出装置及び電子ぺンの双方と通信可能に構成された制御装置とを備え、これらにより電子ぺン入力と指入力の両方を平行して実行可能に構成された電子ペンシステムが開示されている。また、特許文献３には、タッチが検出された領域の広狭により、タッチペン及び指のいずれによるタッチかを判定可能に構成された電子ノート装置が開示されている。特許文献４には、指などの導電体のみを検出可能に構成される静電容量方式のタッチパネルと、指などの導電体とタッチペンなどの非導電体の両方を検出可能に構成される抵抗膜方式のタッチパネルとを備え、両方のタッチパネルでタッチが検出された場合には指入力であると判定し、抵抗膜方式のタッチパネルのみでタッチが検出された場合にはタッチペン入力であると判定する電子機器が開示されている。
【０００７】
また、タッチ式の入力システムの中には、タッチパネルの一部分について、ユーザの利き手に応じて入力を制限するように構成されたものがある。特許文献５には、そのような入力システムの例が開示されている。
【０００８】
詳しく説明すると、特許文献５には、スタイラスによるタッチを検出可能に構成されたタッチスクリーンを有する描画システムにおいて、最初にタッチされた位置に基づき、ユーザの利き手に応じたスクリーン面の一部（ユーザが右利きである場合には、スクリーン面の右下部分）の入力を制限する構成が開示されている。この構成によれば、ユーザの手のひらがパネル面に触れてしまうことによる誤入力を防止することが可能になる。
【先行技術文献】
【特許文献】
【０００９】
【特許文献１】特開２００９−２６５７５９号公報
【特許文献２】特開２０１１−１４３５５７号公報
【特許文献３】特開２０１２−０８８８０５号公報
【特許文献４】特開２０１３−１６４７１０号公報
【特許文献５】米国特許出願公開第２０１３／０３００６７２号明細書
【発明の概要】
【発明が解決しようとする課題】
【００１０】
ところで、タッチ式の入力システムにおいては、ユーザの利き手による場合以外にも、パネル面内の一部領域に限り指示体による入力を制限した方が好都合である場合がある。例えば、電子ペン入力と指入力に対応する入力システムにおいて電子ペンによる描画を行う場合、描画領域内で指入力を制限することにより、指（又は手のひら）による誤入力を防止することができる。また、電子ペン入力に対応する入力システムにおいて電子ペンにより署名欄に署名する場合、署名欄以外の領域で電子ペン入力を制限することにより、署名が署名欄外にはみ出すことを防止できる。
【００１１】
したがって、本発明の目的のひとつは、パネル面内の一部領域に限り、指示体による入力を制限できる指示体検出装置及びその信号処理方法を提供することにある。
【課題を解決するための手段】
【００１２】
本発明の一側面による指示体検出装置は、指示体を検出するための検出領域を有し、該検出領域における前記指示体による指示位置に応じた出力信号を出力するセンサーと、前記センサーに電気的に接続され、前記出力信号に基づいて前記指示体による指示位置を示す算出値を算出する位置算出部と、前記位置算出部に電気的に接続され、該位置算出部により算出された前記算出値に基づいて、前記指示体による指示位置に応じた信号処理を行う制御部とを備え、前記制御部は、前記位置算出部により算出される複数の前記算出値により前記指示体が前記検出領域内の第１の指定領域を指定したことが示される場合に、前記第１の指定領域内に対応する位置を示す前記算出値と、前記第１の指定領域外に対応する位置を示す前記算出値とで異なる信号処理を行うことを特徴とする。
【００１３】
本発明の他の一側面による指示体検出装置は、第１の指示体を検出するための第１の検出領域を有し、該第１の検出領域における前記第１の指示体による指示位置に応じた第１の出力信号を出力する第１のセンサーと、第２の指示体を検出するための第２の検出領域を有し、該第２の検出領域における前記第２の指示体による指示位置に応じた第２の出力信号を出力する第２のセンサーと、前記第１及び第２のセンサーのそれぞれに電気的に接続され、前記第１の出力信号に基づいて前記第１の指示体による指示位置を示す第１の算出値を算出するとともに、前記第２の出力信号に基づいて前記第２の指示体による指示位置を示す第２の算出値を算出するよう構成された位置算出部と、前記位置算出部に電気的に接続され、該位置算出部により算出された前記第１及び第２の算出値に基づいて、前記第１及び第２の指示体のそれぞれによる指示位置に応じた信号処理を行う制御部とを備え、前記制御部は、前記位置算出部により算出される複数の前記第１の算出値により前記第１の指示体が前記第１の検出領域内の第１の指定領域を指定したことが示される場合に、前記第１の指定領域内に対応する位置を示す前記第１の算出値と、前記第１の指定領域外に対応する位置を示す前記第１の算出値とで異なる信号処理を行うか、又は、前記第１の指定領域内に対応する位置を示す前記第２の算出値と、前記第１の指定領域外に対応する位置を示す前記第２の算出値とで異なる信号処理を行うことを特徴とする。
【００１４】
本発明のさらに他の一側面による指示体検出装置は、指示体を検出するための検出領域を有し、該検出領域における前記指示体による指示位置に応じた出力信号を出力するセンサーと、前記センサーに電気的に接続され、前記出力信号に基づいて前記指示体による指示位置を示す算出値を算出する位置算出部と、前記位置算出部に電気的に接続され、該位置算出部により算出された前記算出値に基づいて、前記指示体による指示位置に応じた信号処理を行う制御部とを備え、前記制御部は、前記指示体により前記検出領域内の第１の指定領域が指定された場合に、前記指示体による指示位置が前記第１の指定領域の内にある場合と外にある場合とで異なる信号処理を行うことを特徴とする。
【００１５】
本発明による指示体機能制限方法は、指示体を検出するための検出領域を有するセンサーの該検出領域内の第１の指定領域を指示する操作が指示体によりなされたことを検出するステップと、前記センサーの出力信号に基づいて前記指示体による指示位置を示す算出値を算出するステップと、前記算出値に基づき、前記指示体による指示位置に応じた信号処理を行うステップとを備え、前記信号処理を行うステップは、前記算出値が前記第１の指定領域内に対応する位置を示す場合と前記第１の指定領域外に対応する位置を示す場合とで異なる信号処理を行うことを特徴とする。
【００１６】
本発明の一側面による信号処理方法は、第１の指示体を検出するための第１の検出領域を有する第１のセンサー及び第２の指示体を検出するための第２の検出領域を有する第２のセンサーを備え、前記第１及び第２の指示体のそれぞれによる指示位置に応じた信号処理を行う指示体検出装置の信号処理方法であって、前記第１の検出領域における前記第１の指示体による指示位置に応じた第１の出力信号を得るステップと、前記第２の検出領域における前記第２の指示体による指示位置に応じた第２の出力信号を得るステップと、前記第１の出力信号に基づいて第１の算出値を得るステップと、前記第２の出力信号に基づいて第２の算出値を得るステップと、前記第１の算出値により前記第１の指示体が前記第１の検出領域内の第１の指定領域を指定しているか否かを判定するステップと、前記第１の指定領域内に対応する位置を示す前記第１の算出値と、前記第１の指定領域外に対応する位置を示す前記第１の算出値とで異なる信号処理を行うか、又は、前記第１の指定領域内に対応する位置を示す前記第２の算出値と、前記第１の指定領域外に対応する位置を示す前記第２の算出値とで異なる信号処理を行うステップと、を備えることを特徴とする。
【００１７】
本発明の他の一側面による信号処理方法は、指示体を検出するための検出領域を有するセンサーを備えた指示体検出装置の信号処理方法であって、前記指示体により指示された位置に応じた出力信号を得るステップと、前記出力信号に基づいて前記指示位置に対応する算出値を得るステップと、前記算出値に基づいて前記指示体が前記検出領域内の第１の指定領域を指定しているか否かを判定するステップと、前記指示体が前記第１の指定領域を指定したと判定した場合に、前記第１の指定領域内に対応する位置を示す算出値と、前記第１の指定領域外に対応する位置を示す前記算出値とで異なる信号処理を行うステップと、を備えることを特徴とする。
【発明の効果】
【００１８】
本発明によれば、パネル面内の一部領域（第１の指定領域の「内」又は「外」）に限り、指示体による入力を制限することが可能になる。
【図面の簡単な説明】
【００１９】
【図１】本発明の実施の形態によるタッチ式の入力システムの外観を示す図である。
【図２】（ａ）は、本発明の実施の形態による指示体検出装置１の機能ブロックを示す略ブロック図であり、（ｂ）は、（ａ）に示すタッチパネル２の構造を示す分解斜視図である。
【図３】（ａ）は、図２（ａ）に示したセンサー１２の第１の具体例であるセンサー１２Ａを示す平面図であり、（ｂ）は、センサー１２の第２の具体例であるセンサー１２Ｂを示す平面図であり、（ｃ）は、センサー１２の第３の具体例であるセンサー１２Ｃを示す平面図であり、（ｄ）は、センサー１２の第４の具体例であるセンサー１２Ｄを示す斜視図である。
【図４】図２（ａ）に示したセンサー１３の内部構成を示す図である。
【図５】ユーザが、指６を用いて描画領域Ａ１の周囲を囲む矩形を描くことにより、タッチパネル２上に指定領域Ｒ１を指定した状態を示す図である。
【図６】図５に示した指定領域Ｒ１の内側の領域において指６による入力が制限された状態において、ユーザが電子ペン４を用いて描画領域Ａ１内に描画している状態を示す図である。
【図７】ユーザが、電子ペン４を用いて署名欄Ａ２の周囲を囲む矩形を描くことにより、タッチパネル２上に指定領域Ｒ２を指定した状態を示す図である。
【図８】図５に示した指定領域Ｒ２の外側の領域において電子ペン４による入力が制限された状態において、ユーザが電子ペン４を用いて署名欄Ａ２内に署名している状態を示す図である。
【図９】本発明の実施の形態による指示体機能制限方法のフローを示す図である。
【図１０】図９に示したステップＳ４で表示されるポップアップ画面の例を示す図である。
【図１１】図９に示したステップＳ１で実行される領域指定受付処理の第１の具体例を示す図である。
【図１２】図９に示したステップＳ１で実行される領域指定受付処理の第２の具体例を示す図である。
【図１３】図９に示したステップＳ１で実行される領域指定受付処理の第３の具体例を示す図である。
【図１４】（ａ）（ｂ）は、図１３に示した領域指定受付処理を行う場合の電子ペン４の移動状態を示す平面図である。
【発明を実施するための形態】
【００２０】
以下、添付図面を参照しながら、本発明の好ましい実施の形態について詳細に説明する。
【００２１】
本発明の実施の形態によるタッチ式の入力システムは、図１に示すように、一方の表面にタッチパネル２及びボタン３を備える平板形状の指示体検出装置１と、指示体としての電子ペン４及び指６とによって構成される。電子ペン４は、一端がペン先のごとく細くなるように形成された棒状の装置であり、側面にサイドスイッチ５を有している。指６は、通常、人間の手の指である。
【００２２】
指示体検出装置１は、例えばタブレット、デジタイザ、スマートフォンなどのタッチ式の入力機構を有する装置であり、図２（ａ）に示すように、アナログスイッチ１５、電流電圧変換部１６、位置算出部１７、及び制御部１８をさらに備えて構成される。なお、図２（ａ）ではボタン３の図示を省略している。
【００２３】
タッチパネル２は、図２（ｂ）に示すように、絶縁体であるカバー１１と、指示体を検出するための検出領域Ｄ１を有するセンサー１２と、指示体を検出するための検出領域Ｄ２を有するセンサー１３と、表示領域１４ａを有する表示装置１４とを有する。カバー１１、センサー１２，１３、表示装置１４はそれぞれ薄い平板状に形成されており、図２（ｂ）に示すように、指示体検出装置１の表面からカバー１１、センサー１２、表示装置１４、センサー１３の順で、検出領域Ｄ１，Ｄ２及び表示領域１４ａが重畳するように重ねて配置される。なお、表示装置１４とセンサー１３の配置は逆になっていてもよい。
【００２４】
カバー１１の表面は、平らなパネル面を構成する。指示体検出装置１のユーザは、このパネル面を電子ペン４や指６で触れたりなぞったりすることにより、文字や絵の入力を行う。
【００２５】
センサー１２は、静電方式により指示体としての指６を検出する装置であり、検出領域Ｄ１における指６による指示位置に応じた出力信号Ｏ１を出力可能に構成される。一方、センサー１３は、電磁誘導方式の一種であるＥＭＲ方式により指示体としての電子ペン４を検出する装置であり、検出領域Ｄ２における電子ペン４による指示位置に応じた出力信号Ｏ２を出力可能に構成される。なお、センサー１２は電子ペン４の検出を行わず、センサー１３は指６の検出を行わないものとする。センサー１２，１３それぞれの構造の詳細については、後に図３，図４を参照しながら説明する。
【００２６】
表示装置１４は、例えばカラー液晶ディスプレイであり、制御部１８からの信号に応じて、表示領域１４ａに任意の文字や画像を表示可能に構成される。カバー１１及びセンサー１２，１３はいずれも透明に構成されており、したがってユーザは、カバー１１のパネル面を通じ、表示領域１４ａに表示された映像を確認できる。なお、本実施の形態ではタッチパネル２に表示装置１４を設けているが、本発明は、それ自身は表示機能を有しない指示体検出装置（板タブレットなど）にも適用可能である。
【００２７】
位置算出部１７は、センサー１２の出力信号Ｏ１に基づいて、指示体（指６）による指示位置を示す算出値Ｃ１を算出するとともに、センサー１３の出力信号Ｏ２に基づいて、指示体（電子ペン４）による指示位置を示す算出値Ｃ２を算出するように構成される。位置算出部１７によって算出された算出値Ｃ１，Ｃ２は、制御部１８に供給される。電子ペン４に関しては、位置算出部１７はさらに、電子ペン４からサイドスイッチ５の押下状態や筆圧を示す情報などを含むペン情報を受信し、制御部１８に供給する機能も有する。
【００２８】
制御部１８は、図示しない記憶装置に記憶されるプログラムに従って動作するプロセッサであり、指示体検出装置１の各部の制御や、各種の処理を実行する機能を有している。また、制御部１８は、図示しない記憶装置との間でデータの入出力を行う機能も有している。
【００２９】
より具体的に説明すると、制御部１８は、出力信号Ｏ１，Ｏ２を出力するようセンサー１２，１３を制御する機能、出力信号Ｏ１，Ｏ２に応じて位置算出部１７が算出した算出値Ｃ１，Ｃ２に基づき、電子ペン４や指６による指示位置に応じた信号処理を行う機能などを有して構成される。この信号処理には、表示装置１４の表示内容を制御するための信号を生成し、表示装置１４に供給する処理が含まれる。
【００３０】
また、制御部１８は、位置算出部１７により算出される複数の算出値（算出値Ｃ１又は算出値Ｃ２）を参照することにより、指示体による領域（第１の指定領域）の指定を受け付ける機能と、領域の指定を受け付けた場合（すなわち、上記複数の算出値により、指示体が、対応する検出領域内の領域を指定したことが示される場合）に、それ以後、指定領域内に対応する位置を示す算出値と、指定領域外に対応する位置を示す算出値とで異なる信号処理を行う機能とをさらに有して構成される。
【００３１】
ここで、指定領域の指定を受け付ける際に参照する算出値と、指定領域の「内」と「外」とで異なる信号処理を行う対象とする算出値とは、同じものであってもよいし、異なるものであってもよい。つまり、制御部１８は、算出値Ｃ１を参照することにより領域の指定を受け付け、その後、指定領域内に対応する位置を示す算出値Ｃ１と指定領域外に対応する位置を示す算出値Ｃ１とで異なる信号処理を行うこととしてもよいし、算出値Ｃ２を参照することにより領域の指定を受け付け、その後、指定領域内に対応する位置を示す算出値Ｃ１と指定領域外に対応する位置を示す算出値Ｃ１とで異なる信号処理を行うこととしてもよいし、算出値Ｃ１を参照することにより領域の指定を受け付け、その後、指定領域内に対応する位置を示す算出値Ｃ２と指定領域外に対応する位置を示す算出値Ｃ２とで異なる信号処理を行うこととしてもよいし、算出値Ｃ２を参照することにより領域の指定を受け付け、その後、指定領域内に対応する位置を示す算出値Ｃ２と指定領域外に対応する位置を示す算出値Ｃ２とで異なる信号処理を行うこととしてもよい。また、制御部１８は、算出値Ｃ１又は算出値Ｃ２を参照することにより領域の指定を受け付け、その後、指定領域内に対応する位置を示す算出値Ｃ１と指定領域外に対応する位置を示す算出値Ｃ１とで異なる信号処理を行い、かつ、指定領域内に対応する位置を示す算出値Ｃ２と指定領域外に対応する位置を示す算出値Ｃ２とで異なる信号処理を行うこととしてもよい。
【００３２】
さらに、制御部１８は、ユーザに指定領域の「内」と「外」のいずれか、及び、「電子ペン」と「指」のいずれかをそれぞれ選択させる機能をさらに有することとしてもよい。この場合、例えばユーザが「外」と「電子ペン」を選択したとすると、制御部１８は、算出値Ｃ１及び指定領域内に対応する位置を示す算出値Ｃ２については通常どおり信号処理を行う一方、指定領域外に対応する位置を示す算出値Ｃ２については信号処理を行わないようにすればよい。これにより、ユーザに対し、電子ペン４が指定領域内でしか機能しない、というユーザ体験を与えることが可能になる。この点については、後に図５〜図１４を参照しながら、より具体的な例を挙げて再度説明する。
【００３３】
電流電圧変換部１６は、制御部１８から供給される電流信号を電圧信号に変換するための装置であり、具体的には、図２（ａ）に示すように、一端が制御部１８からアナログスイッチ１５に至る配線に接続され、他端が接地された抵抗器によって構成される。電流電圧変換部１６によって得られる電圧信号は、アナログスイッチ１５を介して、センサー１２に供給される。ここで、詳しくは図３を参照して後述するが、センサー１２には、複数の端子が設けられる。アナログスイッチ１５は、電流電圧変換部１６から供給される電圧信号をこれらの端子のうちの一部に対して選択的に供給する一方で、他の一部の端子に対して選択的に接地電位を供給し、さらに残りの端子をフロート状態とする機能を有している。
【００３４】
次に、センサー１２の構成及び動作について、図３を参照しながら詳しく説明する。なお、図３（ａ）〜図３（ｄ）に示したセンサー１２Ａ〜１２Ｄはいずれもセンサー１２の具体例であり、それぞれが単独でセンサー１２として機能し得る。
【００３５】
図３（ａ）に示すセンサー１２Ａは、その中央部に検出領域Ｄ１が配置され、図示したｘ方向（長方形であるセンサー１２Ａの長手方向）に関してのみ、検出領域Ｄ１における指６による指示位置を検出できるように構成される。
【００３６】
具体的に説明すると、センサー１２Ａは、同図に示すように、センサー１２Ａの一方の短辺に沿って配置された電極２０Ａａと、他方の短辺に沿って配置された電極２０Ａｂと、それぞれ電極２０Ａａ，２０Ａｂに接続された端子２１Ａａ，２１Ａｂを有する。センサー１２Ａにおいては、電極２０Ａａ，２０Ａｂに挟まれた領域が検出領域Ｄ１となる。端子２１Ａａ，２１Ａｂはそれぞれ、図２（ａ）に示したアナログスイッチ１５に接続される。また、センサー１２Ａの出力信号Ｏ１は、端子２１Ａａ，２１Ａｂのそれぞれから取り出される。
【００３７】
センサー１２としてセンサー１２Ａを用いる場合の算出値Ｃ１の算出は、次のようにして行われる。まず、電流電圧変換部１６から出力される電圧信号が端子２１Ａａに供給され、接地電位が端子２１Ａｂに供給されることとなるよう、制御部１８がアナログスイッチ１５を制御する。そのうえで、制御部１８が電流電圧変換部１６に対して電流信号を出力すると、アナログスイッチ１５の働きにより、電流電圧変換部１６から出力される電圧信号が端子２１Ａａに、接地電位が端子２１Ａｂにそれぞれ供給される。これにより、検出領域Ｄ１には、電極２０Ａａから電極２０Ａｂにかけて電位の傾斜が形成される。このとき指６が検出領域Ｄ１に接近又は接触していると、人体を通じて電荷が移動するため、端子２１Ａａに電流が流れる。この電流の変化が出力信号Ｏ１として位置算出部１７に供給される。
【００３８】
次に、制御部１８は、電流電圧変換部１６から出力される電圧信号が端子２１Ａｂに供給され、接地電位が端子２１Ａａに供給されることとなるよう、再度アナログスイッチ１５を制御する。そのうえで、制御部１８が電流電圧変換部１６に対して電流信号を出力すると、アナログスイッチ１５の働きにより、電流電圧変換部１６から出力される電圧信号が端子２１Ａｂに、接地電位が端子２１Ａａにそれぞれ供給される。これにより、検出領域Ｄ１には、電極２０Ａｂから電極２０Ａａにかけて電位の傾斜が形成される。このとき指６が検出領域Ｄ１に接近又は接触していると、人体を通じて電荷が移動するため、端子２１Ａｂに電流が流れる。この電流の変化が出力信号Ｏ１として位置算出部１７に供給される。
【００３９】
位置算出部１７は、こうして続けて供給される２つの出力信号Ｏ１から、端子２１Ａａの電流変化と、端子２１Ａｂの電流変化との比を算出する。そして、算出した比から、検出領域Ｄ１内における指６の接触位置（指６による指示位置）のｘ座標を算出する。センサー１２としてセンサー１２Ａを用いる場合の算出値Ｃ１は、こうして算出されたｘ座標により表わされる。
【００４０】
次に、図３（ｂ）に示すセンサー１２Ｂは、その中央部に検出領域Ｄ１が配置され、図示したｘ方向（長方形であるセンサー１２Ｂの長手方向）とｙ方向（検出領域Ｄ１の面内でｘ方向と直交する方向）の両方に関して、検出領域Ｄ１における指６による指示位置を検出できるように構成される。
【００４１】
具体的に説明すると、センサー１２Ｂは、同図に示すように、センサー１２Ｂの４隅に点状の電極２０Ｂａ〜２０Ｂｄが反時計回りに配置され、これら電極２０Ｂａ〜２０Ｂｄがそれぞれ端子２１Ｂａ〜２１Ｂｄに接続された構成を有している。センサー１２Ｂにおいては、電極２０Ｂａ〜２０Ｂｄを各頂点とする長方形の領域が検出領域Ｄ１となる。端子２１Ｂａ〜２１Ｂｄはそれぞれ、図２（ａ）に示したアナログスイッチ１５に接続される。また、センサー１２Ｂの出力信号Ｏ１は、端子２１Ｂａ〜２１Ｂｄのそれぞれから取り出される。
【００４２】
センサー１２としてセンサー１２Ｂを用いる場合の算出値Ｃ１の算出は、次のようにして行われる。まず、電流電圧変換部１６から出力される電圧信号が端子２１Ｂａ，２１Ｂｂに供給され、接地電位が端子２１Ｂｃ，２１Ｂｄに供給されることとなるよう、制御部１８がアナログスイッチ１５を制御する。そのうえで、制御部１８が電流電圧変換部１６に対して電流信号を出力すると、アナログスイッチ１５の働きにより、電流電圧変換部１６から出力される電圧信号が端子２１Ｂａ，２１Ｂｂに、接地電位が端子２１Ｂｃ，２１Ｂｄにそれぞれ供給される。これにより、検出領域Ｄ１には、ｘ方向の一端（電極２０Ｂａ，２０Ｂｂが配置されている端部）からｘ方向の他端（電極２０Ｂｃ，２０Ｂｄが配置されている端部）にかけて電位の傾斜が形成される。このとき指６が検出領域Ｄ１に接近又は接触していると、人体を通じて電荷が移動するため、端子２１Ｂａ，２１Ｂｂに電流が流れる。この電流の変化が出力信号Ｏ１として位置算出部１７に供給される。
【００４３】
次に、制御部１８は、電流電圧変換部１６から出力される電圧信号が端子２１Ｂｃ，２１Ｂｄに供給され、接地電位が端子２１Ｂａ，２１Ｂｂに供給されることとなるよう、再度アナログスイッチ１５を制御する。そのうえで、制御部１８が電流電圧変換部１６に対して電流信号を出力すると、アナログスイッチ１５の働きにより、電流電圧変換部１６から出力される電圧信号が端子２１Ｂｃ，２１Ｂｄに、接地電位が端子２１Ｂａ，２１Ｂｂにそれぞれ供給される。これにより、検出領域Ｄ１には、ｘ方向の他端（電極２０Ｂｃ，２０Ｂｄが配置されている端部）からｘ方向の一端（電極２０Ｂａ，２０Ｂｂが配置されている端部）にかけて電位の傾斜が形成される。このとき指６が検出領域Ｄ１に接近又は接触していると、人体を通じて電荷が移動するため、端子２１Ｂｃ，２１Ｂｄに電流が流れる。この電流の変化が出力信号Ｏ１として位置算出部１７に供給される。
【００４４】
位置算出部１７は、こうして続けて供給される２つの出力信号Ｏ１から、端子２１Ｂａ，２１Ｂｂの電流変化と、端子２１Ｂｃ，２１Ｂｄの電流変化との比を算出する。そして、算出した比から、検出領域Ｄ１内における指６の接触位置（指６による指示位置）のｘ座標を算出する。
【００４５】
続いて、制御部１８は、電流電圧変換部１６から出力される電圧信号が端子２１Ｂａ，２１Ｂｄに供給され、接地電位が端子２１Ｂｂ，２１Ｂｃに供給されることとなるよう、再度アナログスイッチ１５を制御する。そのうえで、制御部１８が電流電圧変換部１６に対して電流信号を出力すると、アナログスイッチ１５の働きにより、電流電圧変換部１６から出力される電圧信号が端子２１Ｂａ，２１Ｂｄに、接地電位が端子２１Ｂｂ，２１Ｂｃにそれぞれ供給される。これにより、検出領域Ｄ１には、ｙ方向の一端（電極２０Ｂａ，２０Ｂｄが配置されている端部）からｙ方向の他端（電極２０Ｂｂ，２０Ｂｃが配置されている端部）にかけて電位の傾斜が形成される。このとき指６が検出領域Ｄ１に接近又は接触していると、人体を通じて電荷が移動するため、端子２１Ｂａ，２１Ｂｄに電流が流れる。この電流の変化が出力信号Ｏ１として位置算出部１７に供給される。
【００４６】
次に、制御部１８は、電流電圧変換部１６から出力される電圧信号が端子２１Ｂｂ，２１Ｂｃに供給され、接地電位が端子２１Ｂａ，２１Ｂｄに供給されることとなるよう、再度アナログスイッチ１５を制御する。そのうえで、制御部１８が電流電圧変換部１６に対して電流信号を出力すると、アナログスイッチ１５の働きにより、電流電圧変換部１６から出力される電圧信号が端子２１Ｂｂ，２１Ｂｃに、接地電位が端子２１Ｂａ，２１Ｂｄにそれぞれ供給される。これにより、検出領域Ｄ１には、ｙ方向の他端（電極２０Ｂｂ，２０Ｂｃが配置されている端部）からｙ方向の一端（電極２０Ｂａ，２０Ｂｄが配置されている端部）にかけて電位の傾斜が形成される。このとき指６が検出領域Ｄ１に接近又は接触していると、人体を通じて電荷が移動するため、端子２１Ｂｂ，２１Ｂｃに電流が流れる。この電流の変化が出力信号Ｏ１として位置算出部１７に供給される。
【００４７】
位置算出部１７は、こうして続けて供給される２つの出力信号Ｏ１から、端子２１Ｂａ，２１Ｂｄの電流変化と、端子２１Ｂｂ，２１Ｂｃの電流変化との比を算出する。そして、算出した比から、検出領域Ｄ１内における指６の接触位置（指６による指示位置）のｙ座標を算出する。
【００４８】
このように、位置算出部１７は、ｘ座標及びｙ座標を順次算出するよう構成される。センサー１２としてセンサー１２Ｂを用いる場合の算出値Ｃ１は、こうして算出されたｘ座標及びｙ座標により表わされる。
【００４９】
次に、図３（ｃ）に示すセンサー１２Ｃは、センサー１２Ｂと同様、その中央部に検出領域Ｄ１が配置され、図示したｘ方向（長方形であるセンサー１２Ｃの長手方向）とｙ方向（検出領域Ｄ１の面内でｘ方向と直交する方向）の両方に関して、検出領域Ｄ１における指６による指示位置を検出できるように構成される。
【００５０】
具体的に説明すると、センサー１２Ｃは、同図に示すように、センサー１２Ｃの４辺のそれぞれに沿って線状の電極２０Ｃａ〜２０Ｃｄが反時計回りに配置され、これら電極２０Ｃａ〜２０Ｃｄがそれぞれ端子２１Ｃａ〜２１Ｃｄに接続された構成を有している。センサー１２Ｃにおいては、電極２０Ｃａ〜２０Ｃｄに囲まれた長方形の領域が検出領域Ｄ１となる。端子２１Ｃａ〜２１Ｃｄはそれぞれ、図２（ａ）に示したアナログスイッチ１５に接続される。また、センサー１２Ｃの出力信号Ｏ１は、端子２１Ｃａ〜２１Ｃｄのそれぞれから取り出される。
【００５１】
センサー１２としてセンサー１２Ｃを用いる場合の算出値Ｃ１の算出は、次のようにして行われる。まず、電流電圧変換部１６から出力される電圧信号が端子２１Ｃａに供給され、接地電位が端子２１Ｃｃに供給され、端子２１Ｃｂ，２１Ｃｄがフロート状態となるよう、制御部１８がアナログスイッチ１５を制御する。そのうえで、制御部１８が電流電圧変換部１６に対して電流信号を出力すると、アナログスイッチ１５の働きにより、電流電圧変換部１６から出力される電圧信号が端子２１Ｃａに、接地電位が端子２１Ｃｃにそれぞれ供給され、端子２１Ｃｂ，２１Ｃｄがフロート状態となる。これにより、検出領域Ｄ１には、ｘ方向の一端（電極２０Ｃａが配置されている端部）からｘ方向の他端（電極２０Ｃｃが配置されている端部）にかけて電位の傾斜が形成される。このとき指６が検出領域Ｄ１に接近又は接触していると、人体を通じて電荷が移動するため、端子２１Ｃａに電流が流れる。この電流の変化が出力信号Ｏ１として位置算出部１７に供給される。
【００５２】
次に、制御部１８は、電流電圧変換部１６から出力される電圧信号が端子２１Ｃｃに供給され、接地電位が端子２１Ｃａに供給され、端子２１Ｃｂ，２１Ｃｄがフロート状態となるよう、再度アナログスイッチ１５を制御する。そのうえで、制御部１８が電流電圧変換部１６に対して電流信号を出力すると、アナログスイッチ１５の働きにより、電流電圧変換部１６から出力される電圧信号が端子２１Ｃｃに、接地電位が端子２１Ｃａにそれぞれ供給され、端子２１Ｃｂ，２１Ｃｄがフロート状態となる。これにより、検出領域Ｄ１には、ｘ方向の他端（電極２０Ｃｃが配置されている端部）からｘ方向の一端（電極２０Ｃａが配置されている端部）にかけて電位の傾斜が形成される。このとき指６が検出領域Ｄ１に接近又は接触していると、人体を通じて電荷が移動するため、端子２１Ｃｃに電流が流れる。この電流の変化が出力信号Ｏ１として位置算出部１７に供給される。
【００５３】
位置算出部１７は、こうして続けて供給される２つの出力信号Ｏ１から、端子２１Ｃａの電流変化と、端子２１Ｃｃの電流変化との比を算出する。そして、算出した比から、検出領域Ｄ１内における指６の接触位置（指６による指示位置）のｘ座標を算出する。
【００５４】
続いて、制御部１８は、電流電圧変換部１６から出力される電圧信号が端子２１Ｃｂに供給され、接地電位が端子２１Ｃｄに供給され、端子２１Ｃａ，２１Ｃｃがフロート状態となるよう、再度アナログスイッチ１５を制御する。そのうえで、制御部１８が電流電圧変換部１６に対して電流信号を出力すると、アナログスイッチ１５の働きにより、電流電圧変換部１６から出力される電圧信号が端子２１Ｃｂに、接地電位が端子２１Ｃｄにそれぞれ供給され、端子２１Ｃａ，２１Ｃｃがフロート状態となる。これにより、検出領域Ｄ１には、ｙ方向の一端（電極２０Ｃｂが配置されている端部）からｙ方向の他端（電極２０Ｃｄが配置されている端部）にかけて電位の傾斜が形成される。このとき指６が検出領域Ｄ１に接近又は接触していると、人体を通じて電荷が移動するため、端子２１Ｃｂに電流が流れる。この電流の変化が出力信号Ｏ１として位置算出部１７に供給される。
【００５５】
次に、制御部１８は、電流電圧変換部１６から出力される電圧信号が端子２１Ｃｄに供給され、接地電位が端子２１Ｃｂに供給され、端子２１Ｃａ，２１Ｃｃがフロート状態となるよう、再度アナログスイッチ１５を制御する。そのうえで、制御部１８が電流電圧変換部１６に対して電流信号を出力すると、アナログスイッチ１５の働きにより、電流電圧変換部１６から出力される電圧信号が端子２１Ｃｄに、接地電位が端子２１Ｃｂにそれぞれ供給され、端子２１Ｃａ，２１Ｃｃがフロート状態となる。これにより、検出領域Ｄ１には、ｙ方向の他端（電極２０Ｃｄが配置されている端部）からｙ方向の一端（電極２０Ｃｂが配置されている端部）にかけて電位の傾斜が形成される。このとき指６が検出領域Ｄ１に接近又は接触していると、人体を通じて電荷が移動するため、端子２１Ｃｄに電流が流れる。この電流の変化が出力信号Ｏ１として位置算出部１７に供給される。
【００５６】
位置算出部１７は、こうして続けて供給される２つの出力信号Ｏ１から、端子２１Ｃｂの電流変化と、端子２１Ｃｄの電流変化との比を算出する。そして、算出した比から、検出領域Ｄ１内における指６の接触位置（指６による指示位置）のｙ座標を算出する。
【００５７】
このように、位置算出部１７は、ｘ座標及びｙ座標を順次算出するよう構成される。センサー１２としてセンサー１２Ｃを用いる場合の算出値Ｃ１は、こうして算出されたｘ座標及びｙ座標により表わされる。
【００５８】
次に、図３（ｄ）に示すセンサー１２Ｄは、センサー１２Ａ〜１２Ｃとは異なり、ｚ方向に積層された２つの検出領域Ｄ１ａ，Ｄ１ｂにより検出領域Ｄ１が構成され、図示したｘ方向（ｚ方向と直交する方向）とｙ方向（ｘ方向及びｚ方向のそれぞれと直交する方向）の両方に関して、検出領域Ｄ１における指６による指示位置を検出できるように構成される。
【００５９】
具体的に説明すると、センサー１２Ｄは、それぞれｘ方向に延在する複数の電極２０Ｄａが検出領域Ｄ１ａに等間隔で配置され、それぞれｙ方向に延在する複数の電極２０Ｄｂが検出領域Ｄ１ｂに等間隔で配置された構成を有している。この構成によれば、電極２０Ｄａと電極２０Ｄｂの交点にキャパシタが形成されるので、センサー１２Ｄは、複数のキャパシタがマトリクス状に配置された構成を有していることになる。また、センサー１２Ｄは、複数の電極２０Ｄａのそれぞれに接続される複数の端子２１Ｄａと、複数の電極２０Ｄｂのそれぞれに接続される複数の端子２１Ｄｂとを有している。複数の端子２１Ｄａ及び複数の端子２１Ｄｂはそれぞれ、図２（ａ）に示したアナログスイッチ１５に接続される。また、センサー１２Ｃの出力信号Ｏ１は、これら複数の端子２１Ｄａ，２１Ｄｂのそれぞれから取り出される。
【００６０】
センサー１２としてセンサー１２Ｄを用いる場合の算出値Ｃ１の算出は、次のようにして行われる。まず、電流電圧変換部１６から出力される電圧信号が各端子２１Ｄａに供給され、接地電位が各端子２１Ｄｂに供給されることとなるよう、制御部１８がアナログスイッチ１５を制御する。そのうえで、制御部１８が電流電圧変換部１６に対して電流信号を出力すると、アナログスイッチ１５の働きにより、電流電圧変換部１６から出力される電圧信号が各端子２１Ｄａに、接地電位が各端子２１Ｄｂにそれぞれ供給される。このとき指６が検出領域Ｄ１に接近又は接触していると、指６との間で生ずる静電誘導により、指６に近いキャパシタほど、蓄積電荷が大きく変動することになる。
【００６１】
位置算出部１７は、センサー１２Ｄより供給される複数の出力信号Ｏ１から、各キャパシタの電荷の変動を検出する。そして、検出した変動の大きさに基づいて検出領域Ｄ１内における指６の接触位置（指６による指示位置）のｘ座標及びｙ座標を算出し、算出値Ｃ１として制御部１８に供給する。なお、センサー１２Ｄによれば、複数の指６を同時に検出することが可能になる。この場合、位置算出部１７は、複数の算出値Ｃ１を算出し、制御部１８に供給することになる。
【００６２】
以上、センサー１２の構成及び動作について、４つの具体例を挙げて詳しく説明した。次に、センサー１３（図１）の構成及び動作について、図４を参照しながら詳しく説明する。
【００６３】
センサー１３は、図４に示すように、検出領域Ｄ２内に複数のループコイルＬＣが配置された構成を有している。各ループコイルＬＣの一端は接地され、他端は位置算出部１７に接続されている。センサー１３の出力信号Ｏ２は、こうして位置算出部１７に接続される各ループコイルＬＣの他端に現れる信号により、構成される。図４では、複数のループコイルＬＣの例として、ｙ方向に延在する４０本のループコイルＸ１〜Ｘ４０と、ｘ方向に延在する４０本のＹ１〜Ｙ４０とを図示している。以下、この８０本のループコイルＸ１〜Ｘ４０，Ｙ１〜Ｙ４０を前提に説明を続けるが、センサー１３に設けるべきループコイルＬＣの本数はこれに限られない。
【００６４】
位置算出部１７は、センサー１３に関して、図４に示すように、選択回路３０と、スイッチ回路３１と、アンプ３２と、検波回路３３と、ローパスフィルタ（ＬＰＦ）３４と、サンプルホールド回路（Ｓ／Ｈ）３５と、アナログデジタル変換回路（Ａ／Ｄ）３６と、制御部３７と、発振器３８と、電流ドライバ３９とを有して構成される。
【００６５】
選択回路３０には各ループコイルＬＣの他端が接続されており、これにより、選択回路３０にはセンサー１３の出力信号Ｏ２が供給される。選択回路３０は、制御部３７からの制御に応じてループコイルＸ１〜Ｘ４０，Ｙ１〜Ｙ４０の中の１本又は複数本を選択し、選択したものをスイッチ回路３１に接続する回路である。
【００６６】
スイッチ回路３１は、制御部３７からの制御に応じて切り替え可能に構成された単極双投のスイッチにより構成される。スイッチ回路３１の共通端子には選択回路３０が、一方の選択端子にはアンプ３２の入力端が、他方の選択端子には電流ドライバ３９の出力端がそれぞれ接続される。
【００６７】
アンプ３２は、スイッチ回路３１を介して選択回路３０から供給される電圧信号を増幅し、検波回路３３に出力する機能を有する。検波回路３３は、アンプ３２から出力される電圧信号に対して包絡線検波を行うことによって包絡線信号を生成し、ローパスフィルタ３４に出力する回路である。ローパスフィルタ３４は、検波回路３３が生成した包絡線信号から高周波成分を除去する役割を果たす。サンプルホールド回路３５は、ローパスフィルタ３４によって高周波成分が除去された上記包絡線信号のサンプル動作及びホールド動作を、所定時間間隔で行うよう構成される。アナログデジタル変換回路３６は、サンプルホールド回路３５によりホールドされている信号にアナログデジタル変換を施すことによってデジタル信号を生成し、制御部３７に出力する。
【００６８】
制御部３７は、図示しない記憶装置に記憶されるプログラムに従って動作するプロセッサである。なお、制御部３７と制御部１８（図２）とを、共通のプロセッサによって実現することとしてもよい。制御部３７が行う動作には、選択回路３０、スイッチ回路３１、サンプルホールド回路３５、及びアナログデジタル変換回路３６の制御と、アナログデジタル変換回路３６から供給されるデジタル信号に基づき、上述した算出値Ｃ２（指示体（電子ペン４）による指示位置を示す値）を算出する処理とが含まれる。
【００６９】
発振器３８は、所定周波数の交流信号を生成するよう構成される。電流ドライバ３９は、発振器３８から出力される交流信号を電流信号に変換し、スイッチ回路３１に供給する役割を果たす。
【００７０】
算出値Ｃ２の算出及びペン情報の取得は、具体的には次のようにして行われる。まず初めに、制御部３７は、スイッチ回路３１の他方の選択端子（電流ドライバ３９に接続されている選択端子）を共通端子に接続するとともに、選択回路３０にループコイルＸ１〜Ｘ４０，Ｙ１〜Ｙ４０の中の一本を選択させる。すると、電流ドライバ３９から出力される電流信号により、選択されたループコイルＬＣに磁界が発生する。なお、ここでは、１本のループコイルＬＣを選択するとしているが、例えばループコイルＸ１〜Ｘ４０の中から１本、ループコイルＹ１〜Ｙ４０の中から１本の計２本を選択することとしてもよい。また、ループコイルＸ１〜Ｘ４０，Ｙ１〜Ｙ４０とは別に、検出領域Ｄ２の外周に沿って磁界発生専用のループコイルを配置し、この段階ではこの専用ループコイルのみを選択することとしてもよい。
【００７１】
電子ペン４は共振回路（図示せず）を内蔵しており、上記のようにして発生した磁界の中に入ったときにこの共振回路に発生する誘導電圧を電源として動作するよう、構成される。こうして行われる電子ペン４の動作には、まず初めに所定時間にわたって位置検出用の連続信号を送信し、次いで、連続信号の終了を示すスタート信号とペン情報とを順次送信することが含まれる。
【００７２】
制御部３７は、スイッチ回路３１の他方の選択端子を共通端子に接続してから所定時間が経過した後、今度は、スイッチ回路３１の一方の選択端子（アンプ３２に接続されている選択端子）を共通端子に接続する。すると、ループコイルＬＣからの磁界の発生が終了する。電子ペン４は、このタイミングで連続信号の送信を開始するよう構成される。
【００７３】
制御部３７は、電子ペン４が連続信号の送信を行っている間、選択回路３０が選択するループコイルＬＣを連続的に切り替えることにより、ループコイルＸ１〜Ｘ４０，Ｙ１〜Ｙ４０のそれぞれに発生した電圧を走査する。こうして検出される電圧は、ループコイルＬＣと電子ペン４の間の距離が短いほど大きくなるので、制御部３７は、走査結果から電子ペン４の位置を示す算出値Ｃ２を算出することができる。制御部３７は、こうして算出値Ｃ２を算出し、制御部１８に出力する。
【００７４】
なお、走査時間を短縮するため、上記のようにすべてのループコイルＬＣを走査して位置検出を行うのは初回だけ（この場合、初回の位置検出では、電子ペン４がスタート信号やペン情報を送信している間にも、これらを連続信号とみなして位置検出を行う）とし、２回目からは、前回検出された位置の近傍に位置するループコイルＬＣのみを走査することとしてもよい。
【００７５】
一方、電子ペン４がペン情報を送信するタイミングでは、制御部３７は、検出された電子ペン４の位置に応じていずれか１本のループコイルＬＣ（通常は、検出した電子ペン４の位置に最も近いもの）を、選択回路３０に選択させる。そして、こうして選択されたループコイルＬＣを通じて電子ペン４が送信したペン情報を取得し、制御部１８に出力する。
【００７６】
以上、センサー１３の構成及び動作について詳しく説明した。
【００７７】
制御部１８は、指示体検出装置１の電源が投入されている間、上記の処理をセンサー１２，１３及び位置算出部１７に繰り返し実行させる。これにより、制御部１８には、指６が検出されている限り、指６による指示位置を示す算出値Ｃ１が一定の時間間隔で常に供給され続け、電子ペン４が検出されている限り、電子ペン４による指示位置を示す算出値Ｃ２が一定の時間間隔で常に供給され続けることになる。
【００７８】
以下、パネル面内の一部領域に限って指示体による入力を制限するために制御部１８が行う処理について詳しく説明するが、以下では、まず初めにユーザから見た指示体検出装置１の動作について図５〜図８を参照しながら説明し、その後、その動作を実現するために制御部１８が行う処理について図９〜図１４を参照しながら説明する。
【００７９】
まず、図５及び図６は、タッチパネル２上に描画領域Ａ１が表示されており、ユーザが描画領域Ａ１内に電子ペン４で絵を描きたいと思っている場合を示している。ユーザは、描き始める前に、長方形である描画領域Ａ１を囲むように、指６又は電子ペン４で長方形の指定領域Ｒ１を描く。すると、図６に示すように指定領域Ｒ１外の領域に薄い網掛けが施されるとともに、後述する図１０に示すようなポップアップ画面が表示され、ユーザに、入力ツールの機能制限の具体的な方法が問い合わされる。
【００８０】
図６には、表示されたポップアップ画面において、ユーザが制限対象領域として「指定領域内」を選択し、制限対象入力ツールとして「指」を選択した場合を示している。ユーザがこのような選択を行うと、それ以後、制御部１８は、位置算出部１７から供給される算出値Ｃ１が指定領域Ｒ１内の位置を示している場合に、この算出値Ｃ１を無視して処理を行う。これにより、ユーザの指６が指定領域Ｒ１内の領域に触れてもそのタッチが一切無視されることになるので、ユーザは、指６が触れてしまうことによる誤操作に煩わされることなく、電子ペン４による描画を楽しむことが可能になる。
【００８１】
次に、図７及び図８は、タッチパネル２上に署名欄Ａ２が表示されており、ユーザが署名欄Ａ２内に電子ペン４でサインしようと思っている場合を示している。ユーザは、サインを書き始める前に、長方形である描画領域Ａ１を囲むように、指６又は電子ペン４で長方形の指定領域Ｒ２を描く。すると、図８に示すように、図６の例と同様の網掛けが指定領域Ｒ２外の領域に施されるとともに、図１０に示すようなポップアップ画面が表示され、ユーザに、入力ツールの機能制限の具体的な方法が問い合わされる。
【００８２】
図８には、表示されたポップアップ画面において、ユーザが制限対象領域として「指定領域外」を選択し、制限対象入力ツールとして「電子ペン」を選択した場合を示している。ユーザがこのような選択を行うと、それ以後、制御部１８は、位置算出部１７から供給される算出値Ｃ２が指定領域Ｒ２外の位置を示している場合に、この算出値Ｃ２を無視して処理を行う。これにより、電子ペン４が指定領域Ｒ２外の領域に触れてもそのタッチが一切無視されることになるので、ユーザは、署名欄Ａ２欄からはみ出してしまうことなく、署名欄Ａ２内にサインをすることが可能になる。
【００８３】
以下、以上のような動作を実現するために制御部１８が行う処理について、図９〜図１４を参照しながら詳しく説明する。
【００８４】
図９は、制御部１８が行う処理を示している。同図に示すように、制御部１８は、まずユーザによる領域（第１の指定領域）の指定を受け付ける処理（領域指定受付処理）を実施する（ステップＳ１）。この処理は、ユーザが所定の操作を行ったことを検出する処理であり、所定の操作の具体的な内容としては各種のものが考えられる。図１１〜図１３はそれぞれ、この所定の操作の具体的な内容の一例を示すものであるので、以下では、図１１〜図１３を順次参照しながら説明する。なお、図１１〜図１３に示す操作のすべてを制御部１８に組み込むこととしてもよい（つまり、領域指定の方法が複数存在してもよい）し、一部のみを組み込むこととしてもよい。
【００８５】
まず図１１は、サイドスイッチ５を押しながら電子ペン４で矩形領域を描くという操作を、指定領域を指定するための操作とする例を示している。この例による制御部１８はまず、位置算出部１７から供給される算出値Ｃ２及びペン情報を参照することにより、ユーザがサイドスイッチ５を押しながら電子ペン４をパネル面にタッチしているかを検出する（ステップＳ１０）。制御部１８は図示しない記憶装置に電子ペン４による指示位置を記憶可能に構成されており、ステップＳ１０の判定結果が否定であった場合には、それまでに記憶した指示位置を破棄し（ステップＳ１１）、処理を終了する。
【００８６】
一方、ステップＳ１０の判定結果が肯定であった場合、制御部１８は、そのときの電子ペン４による指示位置を算出値Ｃ２から取得し、図示しない記憶装置に記憶する（ステップＳ１２）。そして、それまでに記憶した一連の指示位置を参照し、それらが矩形領域を構成しているか否かを判定する（ステップＳ１３）。その結果、矩形領域が構成されていなければ、処理をステップＳ１０に戻す。一方、矩形領域が構成されていれば、それまでに記憶した一連の指示位置により構成される矩形領域を指定領域として受け付け（ステップＳ１４）、図９のステップＳ２に処理を移す。
【００８７】
図１２は、指６で矩形領域を描くという操作を、指定領域を指定するための操作とする例を示している。この例による制御部１８はまず、位置算出部１７から供給される算出値Ｃ１を参照することにより、ユーザが指６をパネル面にタッチしているかを検出する（ステップＳ２０）。制御部１８は図示しない記憶装置に指６による指示位置を記憶可能に構成されており、ステップＳ２０の判定結果が否定であった場合には、それまでに記憶した指示位置を破棄し（ステップＳ２１）、処理を終了する。
【００８８】
一方、ステップＳ２０の判定結果が肯定であった場合、制御部１８は、そのときの指６による指示位置を算出値Ｃ１から取得し、図示しない記憶装置に記憶する（ステップＳ２２）。そして、それまでに記憶した一連の指示位置を参照し、それらが矩形領域を構成しているか否かを判定する（ステップＳ２３）。その結果、矩形領域が構成されていなければ、処理をステップＳ２０に戻す。一方、矩形領域が構成されていれば、それまでに記憶した一連の指示位置により構成される矩形領域を指定領域として受け付け（ステップＳ２４）、図９のステップＳ２に処理を移す。
【００８９】
図１３は、サイドスイッチ５を押しながら電子ペン４で線分を描くという操作を、指定領域を指定するための操作とする例を示している。この例による制御部１８はまず、位置算出部１７から供給される算出値Ｃ２及びペン情報を参照することにより、ユーザがサイドスイッチ５を押しながら電子ペン４をパネル面にタッチしているかを検出する（ステップＳ３０）。制御部１８は図示しない記憶装置に電子ペン４による指示位置を記憶可能に構成されており、ステップＳ３０の判定結果が否定であった場合には、それまでに記憶した指示位置を破棄し（ステップＳ３１）、処理を終了する。
【００９０】
一方、ステップＳ３０の判定結果が肯定であった場合、制御部１８は、そのときの電子ペン４による指示位置を算出値Ｃ２から取得し、図示しない記憶装置に記憶する（ステップＳ３２）。続いて制御部１８は、サイドスイッチ５がオフになったか否かを検出する（ステップＳ３３）。その結果、サイドスイッチ５がオフになっていないことを検出した場合には、電子ペン４がタッチパネル２から離れたか否かを判定する（ステップＳ３４）。ステップＳ３４で電子ペン４がタッチパネル２から離れていないと判定した場合、制御部１８は、処理をステップＳ３０に戻す。一方、ステップＳ３３でサイドスイッチ５がオフになったことを検出した場合、又は、ステップＳ３４で電子ペン４がタッチパネル２から離れたと判定した場合、制御部１８は、記憶している一連の指示位置のうち、始点に相当するものと、終点に相当するものとを結ぶ線分を対角線とする矩形領域を生成し、指定領域として受け付ける（ステップＳ３５）。そして、図９のステップＳ２に処理を移す。
【００９１】
図１４を参照して、図１３の例について、より詳しく説明する。図１４（ａ）には、図１３のステップ３０において電子ペン４のタッチが検出された状態を示している。ここでタッチされた位置Ｐ１が、ステップＳ３５における始点となる。次に、図１４（ｂ）には、図３３においてサイドスイッチ５のオフが検出された状態、又は、図３４において電子ペン４の離脱が検出された状態を示している。これらの検出がなされたときの電子ペン４の指示位置Ｐ２が、ステップＳ３５における終点となる。図１４（ｂ）に示すように、制御部１８は、位置Ｐ１と位置Ｐ２を結ぶ線分Ｌ１を設定し、この線分Ｌ１を対角線とする長方形を指定領域Ｒ３として受け付ける。
【００９２】
図９に戻る。ステップＳ１で領域指定を受け付けた制御部１８は、指定領域に対応する表示データ（第１の表示データ）を表示する（ステップＳ２，Ｓ３）。図６及び図８に示した網掛け（指定領域以外を覆う半透明の網掛け）は、この表示データの一例である。表示データを表示することで、ユーザは、自分が指定した領域を明確に認識することができる。なお、表示データの具体的な内容は上記のような網掛けに限られるものではなく、例えば、指定領域の縁辺を示す直線画像や破線画像を表示データとして表示してもよい。
【００９３】
続いて制御部１８は、制限対象領域と制限対象入力ツールをユーザに問い合わせるポップアップ表示を実施する（ステップＳ４）。図１０には、このポップアップ表示の具体的な例を示している。この例によるポップアップ表示は、図示するように、制限対象領域として「指定領域内」「指定領域外」のいずれかをユーザに選択させるためのオプションボタン、制限対象入力ツールとして「電子ペン」「指」のいずれかをユーザに選択させるためのオプションボタン、「実行」ボタン、及び「キャンセル」ボタンを含んで構成される。なお、ここでは、制限対象領域、制限対象入力ツール、及び実行可否を１回のポップアップ表示で一度にユーザに選択させる例を示しているが、複数のポップアップ表示を順次行うことにより、ひとつずつユーザに選択させることとしてもよい。また、ここでユーザに問い合わせることなく（ステップＳ４を省略し）、予め設定されたデータに基づき、以降の処理を進めることとしてもよい。
【００９４】
図９に戻り、ポップアップ画面において「キャンセル」ボタンが押下された場合（ステップＳ５の「キャンセル」判定）、制御部１８は処理を終了する。この場合、指示体による入力の制限は行われない。一方、ポップアップ画面において「実行」ボタンが押下された場合（ステップＳ５の「実行」判定）、制御部１８は、選択された入力ツールが「電子ペン」「指」のいずれであったかを判定する（ステップＳ６）。その結果、選択された入力ツールが「電子ペン」であった場合、それ以後、制御部１８は、制限対象領域内の位置を示す算出値Ｃ２を無視して信号処理を行う（ステップＳ７）。これにより、ユーザは、制限対象領域内への電子ペン４による書き込みができなくなったと認識することになる。一方、選択された入力ツールが「指」であった場合、それ以後、制御部１８は、制限対象領域内の位置を示す算出値Ｃ１を無視して信号処理を行う（ステップＳ８）。これにより、ユーザは、制限対象領域内への指６による書き込みができなくなったと認識することになる。
【００９５】
以上説明したように、本実施の形態によるタッチ式の入力システム及び指示体検出装置１によれば、パネル面内の一部領域（つまり、指定領域の「内」又は「外」）に限り、指示体（電子ペン４又は指６）による入力を制限することが可能になる。また、入力を制限する指示体の選択も可能になる。
【００９６】
以上、本発明の好ましい実施の形態について説明したが、本発明はこうした実施の形態に何等限定されるものではなく、本発明が、その要旨を逸脱しない範囲において、種々なる態様で実施され得ることは勿論である。
【００９７】
例えば、上記実施の形態では、制御部１８が指定領域内に対応する位置を示す算出値と指定領域外に対応する位置を示す算出値とで異なる信号処理を開始した後のことについて特に触れていないが、指示体検出装置１に、制御部１８の信号処理を通常状態に戻すための仕組みを設けてもよいのは勿論である。具体的な例を挙げると、例えば表示領域１４ａ内にボタン画像を表示しておき、このボタン画像が指６又は電子ペン４によりタッチされたことを契機として、制御部１８の信号処理を通常状態に戻すこととしてもよい。
【００９８】
また、図１１及び図１３に示した領域指定受付処理では、ユーザが電子ペン４のサイドスイッチ５を押しながら所定の操作をしたことに応じて指定領域を受け付けたが、サイドスイッチ５に代え、指示体検出装置１のボタン３（図１参照）などの他の手段を用いることも可能である。
【００９９】
また、領域指定のための操作についても、図１１及び図１２に示した矩形描画、図１３に示した線分描画の他、例えば４本の指でタッチしてｘ方向にスライドする操作（この場合、例えば、タッチされた座標のうちｘ方向の一方の最端位置を含むｙ方向に延在する直線、タッチされた座標のうちｘ方向の他方の最端位置を含むｙ方向に延在する直線、タッチされた座標のうちｙ方向の一方の最端位置を含むｘ方向に延在する直線、タッチされた座標のうちｙ方向の他方の最端位置を含むｘ方向に延在する直線により囲まれた領域を指定領域とすればよい）など、各種のものを用いることができる。要するに、領域を指定できる操作であれば、どのような操作であっても、領域指定のための操作として採用することができる。
【０１００】
また、ユーザ操作によらずに領域の指定を受け付けるように構成することもできる。例えば、ウインドウズ（登録商標）における画面プロパティの設定画面など、オペレーティングシステムやアプリケーションによって所定のポップアップ表示（第２の表示データ）がなされた場合に、そのポップアップ表示内の領域を指定領域（第２の指定領域）として受け付けるようにしてもよい。この場合、ユーザは、ポップアップ表示された画面の内容に適した入力方法により、ポップアップ画面内の入力エリアに入力を行うことが可能になる。
【０１０１】
また、上記実施の形態では、センサー１２として静電方式のものを用い、センサー１３としてＥＭＲ方式のものを用いる例を取り上げて説明したが、それぞれ他の方式のものを用いることも可能である。例えば、センサー１２としては、感圧方式のものを用いてよい。また、センサー１３としては、ＥＳ方式（電子ペン自身に電池などの電力供給手段を設け、センサーからの電力送信は行わない方式）のものを用いてもよい。なお、センサー１２，１３それぞれの具体的な方式を決定するにあたっては、センサー１２の検出対象となる指示体がセンサー１３によっては検出されず、かつ、センサー１３の検出対象となる指示体がセンサー１２によっては検出されないように、センサー１２，１３を構成することが好ましい。
【０１０２】
また、上記実施の形態では、２つのセンサー１２，１３を用いる場合を例に挙げて説明したが、本発明は、１つのセンサーのみを用いる場合にも適用することができる。これは、上述した署名欄に入力する場合の他、例えばマウス入力も可能とされている場合や、動画を表示する場合などにも有効である。前者の場合、指定領域内（又は指定領域外）について、タッチ操作による入力を制限しつつマウス入力を可能とする、といった動作を実現することが可能になる。後者の場合、動画が表示されている領域内における指示体による入力を制限することにより、誤タッチにより動画を止めてしまうことを防止することが可能になる。
【符号の説明】
【０１０３】
１                  指示体検出装置
２                  タッチパネル
３                  ボタン
４                  電子ペン
５                  サイドスイッチ
６                  指
１１                カバー
１２，１３          センサー
１２Ａ              センサー１２の第１の具体例
１２Ｂ              センサー１２の第２の具体例
１２Ｃ              センサー１２の第３の具体例
１２Ｄ              センサー１２の第４の具体例
１４                表示装置
１４ａ              表示装置１４の表示領域
１５                アナログスイッチ
１６                電流電圧変換部
１７                位置算出部
１８，３７          制御部
２０Ａａ，２０Ａｂ  センサー１２Ａの電極
２０Ｂａ〜２０Ｂｄ  センサー１２Ｂの電極
２０Ｃａ〜２０Ｃｄ  センサー１２Ｃの電極
２０Ｄａ，２０Ｄｂ  センサー１２Ｄの電極
２１Ａａ，２１Ａｂ  センサー１２Ａの端子
２１Ｂａ〜２１Ｂｄ  センサー１２Ｂの端子
２１Ｃａ〜２１Ｃｄ  センサー１２Ｃの端子
２１Ｄａ，２１Ｄｂ  センサー１２Ｄの端子
３０                選択回路
３１                スイッチ回路
３２                アンプ
３３                検波回路
３４                ローパスフィルタ
３５                サンプルホールド回路
３６                アナログデジタル変換回路
３８                発振器
３９                電流ドライバ
Ａ１                描画領域
Ａ２                署名欄
Ｃ１                指６による指示位置を示す算出値
Ｃ２                電子ペン４による指示位置を示す算出値
Ｄ１                センサー１２の検出領域
Ｄ１ａ，Ｄ１ｂ      センサー１２Ｄの検出領域
Ｄ２                センサー１３の検出領域
Ｌ１                位置Ｐ１と位置Ｐ２を結ぶ線分
ＬＣ，Ｘ１〜Ｘ４０，Ｙ１〜Ｙ４０  ループコイル
Ｏ１                センサー１２の出力信号
Ｏ２                センサー１３の出力信号
Ｐ１，Ｐ２          電子ペン４の指示位置
Ｒ１〜Ｒ３          指定領域
【図１】
2020074245.tif 000003
【図２】
2020074245.tif 000004
【図３】
2020074245.tif 000005
【図４】
2020074245.tif 000006
【図５】
2020074245.tif 000007
【図６】
2020074245.tif 000008
【図７】
2020074245.tif 000009
【図８】
2020074245.tif 000010
【図９】
2020074245.tif 000011
【図１０】
2020074245.tif 000012
【図１１】
2020074245.tif 000013
【図１２】
2020074245.tif 000014
【図１３】
2020074245.tif 000015
【図１４】
2020074245.tif 000016